(57)【特許請求の範囲】
【請求項１】
金銭、金銭相当品または購入可能な商品を収容し収容扉に防犯装置を施した、自動で前記金銭、金銭相当品または購入可能な商品との取引処理を行なう自動機であって、該自動機の鉛直方向の力を補強し、該自動機に外部からかかる水平方向の力に抵抗する抵抗力を選択的に補強する補強手段と、前記収容扉の内側の空間内で操作され、前記自動機の接地面と前記補強手段の一部との接触及び非接触を制御する制御手段と、を有することを特徴とする自動機。
【請求項２】
金銭、金銭相当品または購入可能な商品を収容し収容扉の開閉を所定の人のみ行なうことを可能にする防犯装置を施した、自動で前記金銭、金銭相当品または購入可能な商品との取引処理を行なう自動機であって、該自動機の鉛直方向の力を補強し、該自動機に外部からかかる水平方向の力に抵抗する抵抗力を選択的に補強する補強手段と、前記収容扉の内側の空間内で操作され、前記自動機の接地面と前記補強手段の一部との接触及び非接触を該補強手段の全体的または部分的な上下動により制御する制御手段と、を有することを特徴とする自動機。
【請求項３】
前記補強手段は重力から影響を受ける重りと抵抗値の大きい材質とを併用させたものであり、前記制御手段は前記重りと自動機の底部に組み合わされた互いに対となるネジ溝に沿って該補強手段を回転動作によって上下動させる機構である、ことを特徴とする請求項１または請求項２に記載の自動機。
【請求項４】
前記補強手段は重力から影響を受ける重りと抵抗値の大きい材質とを併用させたものであり、前記制御手段はひもの端に吊着させた前記重りを該ひもの他方の端から巻き上げるまたは開放することによって前記補強手段を上下動させる機構である、ことを特徴とする請求項１または請求項２に記載の自動機。
【請求項５】
前記補強手段は重力から影響を受ける重りと抵抗値の大きい材質とを併用させたものであり、前記制御手段は棒の端に取り付けた前記補強手段を棒の任意の点を支点として他方の端を上下動させることにより上下動させる機構である、ことを特徴とする請求項１または請求項２に記載の自動機。
【請求項６】
前記補強手段は磁力から作用を受ける材質と抵抗値の大きい材質とを併用させたもの、及び前記自動機の下部に配置した電磁石であり、前記制御手段は前記電磁石に流れる電流を制御することにより前記補強手段を上下動させる機構である、ことを特徴とする請求項１または請求項２に記載の自動機。
【請求項７】
前記補強手段は上下動可能な第１の電磁石及び前記自動機の下部に固定した第２の電磁石で構成され、前記制御手段は前記２つの電磁石に流れる電流を夫々制御して、前記第１の電磁石を上下動させる機構である、ことを特徴とする請求項１または請求項２に記載の自動機。
【発明の詳細な説明】
【０００１】
【発明の属する技術分野】
本発明は、盗難防止装置付き自動機に関する。
【０００２】
【従来の技術】
従来から、飲料水や各種プリペイドカードなどの自動販売機や現金引き出しの手続きを行なう現金自動支払機（ＣＤ）や現金の引き出しあるいは預け入れなどの手続きを行なう現金自動預金支払機（ＡＴＭ）など、特に人を配置せずに顧客との各種取引処理を行なわせる自動機において、常々、金銭、金銭相当品（例えばプリペイドカードなど）や購入可能な商品（例えば飲料水やタバコなど）が盗難される恐れがあり、これを防ぐために自動機に様々な工夫がなされていた。この工夫は、例えば収容物の取り出し口に厳重な鍵を取り付けたり、収容扉に警報センサを設置するなど、収容物を盗難するには何れも困難なものであった。
【０００３】
【発明が解決しようとする課題】
ところが昨今では、短時間に自動機ごと盗難する被害も頻発して起こり、これまでの工夫だけでは防ぎきれない問題が生じてきた。
【０００４】
そこで、本発明は、自動機の移動を困難にし、盗難することができないまたは盗難する時間を長引かせることができるような、盗難防止装置付き自動機を提供することを目的とする。
【０００５】
【課題を解決するための手段】
本発明は上記課題を解決するために以下のように構成する。
すなわち、本発明の一態様としては、金銭、金銭相当品または購入可能な商品を収容し収容扉に防犯装置を施した、自動で前記金銭、金銭相当品または購入可能な商品との取引処理を行なう自動機であって、該自動機の鉛直方向の力を補強し、該自動機に外部からかかる水平方向の力に抵抗する抵抗力を選択的に補強する補強手段と、前記収容扉の内側の空間内で操作され、前記選択的に補強する抵抗力を制御する制御手段と、を有するように構成する。
【０００６】
このように構成することによって、自動機を動かすための水平方向にかける力を増大させることが収容扉の内側で選択的にできるようになる。
また、本発明の一態様としては、金銭、金銭相当品または購入可能な商品を収容し収容扉に防犯装置を施した、自動で前記金銭、金銭相当品または購入可能な商品との取引処理を行なう自動機であって、該自動機の鉛直方向の力を補強し、該自動機に外部からかかる水平方向の力に抵抗する抵抗力を選択的に補強する補強手段と、前記収容扉の内側の空間内で操作され、前記自動機の接地面と前記補強手段の一部との接触及び非接触を制御する制御手段と、を有するように構成する。
【０００７】
このように構成することによって、自動機を動かす際に接地面にかかる抵抗力を増大することが収容扉の内側で選択的にできるようになる。
また、本発明の一態様としては、金銭、金銭相当品または購入可能な商品を収容し収容扉の開閉を所定の人のみ行なうことを可能にする防犯装置を施した、自動で前記金銭、金銭相当品または購入可能な商品との取引処理を行なう自動機であって、該自動機の鉛直方向の力を補強し、該自動機に外部からかかる水平方向の力に抵抗する抵抗力を選択的に補強する補強手段と、前記収容扉の内側の空間内で操作され、前記自動機の接地面と前記補強手段の一部との接触及び非接触を該補強手段の全体的または部分的な上下動により制御する制御手段と、を有するように構成する。
【０００８】
このように構成することによって、自動機を動かす際の接地面にかかる抵抗力を増大させることを、補強手段を降下させて接地面に接触させることで可能になる。また、自動機を動かす際の接地面にかかる抵抗力を減少させることを、補強手段を上昇させて接地面から離すことで可能になる。さらに、この操作は、収容扉を開閉できる所定の人のみ行なうことが可能となる。
【０００９】
なお、前記各態様において、前記補強手段は重力から影響を受ける重りと抵抗値の大きい材質とを併用させたものであり、前記制御手段は前記重りと自動機の底部に組み合わされた互いに対となるネジ溝に沿って該補強手段を回転動作によって上下動させる機構であるように構成してもよい。
【００１０】
また、前記各態様において、前記補強手段は重力から影響を受ける重りと抵抗値の大きい材質とを併用させたものであり、前記制御手段はひもの端に吊着させた前記重りを該ひもの他方の端から巻き上げるまたは開放することによって前記補強手段を上下動させる機構であるように構成してもよい。
【００１１】
また、前記各態様において、前記補強手段は重力から影響を受ける重りと抵抗値の大きい材質とを併用させたものであり、前記制御手段は棒の端に取り付けた前記補強手段を棒の任意の点を支点として他方の端を上下動させることにより上下動させる機構であるように構成してもよい。
【００１２】
また、前記各態様において、前記補強手段は磁力から作用を受ける材質と抵抗値の大きい材質とを併用させたもの、及び前記自動機の下部に配置した電磁石であり、前記制御手段は前記電磁石に流れる電流を制御することにより前記補強手段を上下動させる機構であるように構成してもよい。
【００１３】
また、前記各態様において、前記補強手段は上下動可能な第１の電磁石及び前記自動機の下部に固定した第２の電磁石で構成され、前記制御手段は前記２つの電磁石に流れる電流を夫々制御して、前記第１の電磁石を上下動させる機構であるように構成してもよい。
【００１４】
このように構成することによって、容易に抵抗力の選択ができるようになる。
【００１５】
【発明の実施の形態】
以下、本発明の実施の形態について、図面を参照しながら詳細に説明する。
本実施の形態は、図７に示す外観図の一例のように、前扉２から収容物が盗難されるのを未然に防ぐ頑丈な鍵や、扉の開閉に反応する警報センサなどの防犯装置が備えられた現金自動預金支払機（ＡＴＭ）１において、防犯機能をさらに強化するように構成したものである。図１に示すようにＡＴＭ１の下部、例えば前扉２の内側の空間に防犯用の機構を構築する。この機構部分については、本実施の形態の説明を助けるために図中に誇張して描いており、実施の際は、機構部分が本来のＡＴＭの機能を妨げることのないように構成される。図１において、この機構は、ＡＴＭ１の筐体（以下、筐体１とする）の下部に鉄や電磁石などからなる図の矢印に示すように上下動可能な重り３が取り付けられ、ＡＴＭを移動する際にはその重り３を床から離して例えばストッパー４やそれに代わるもので固定した状態（図の点線で示した状態）とさせ、ＡＴＭを設置する際には床に重りを接触させた状態（図の実線で示した３の状態）とさせるように構成されている。なお、重り３が電磁石以外で構成されている場合、重り３と床との摩擦力は大きいことが望ましく、それを目的として重り３の底をゴムなどの摩擦係数の高い素材で構成してもよく、または接地する床をそのような素材で構成してもよい。
【００１６】
以下は、上記構成からなる機構を形態別に説明したものである。
（実施の形態の１）
図２は、重り３の上下動をネジ方式で実現した当該駆動部分の一例を示したものである。図２の（ａ）は、手動で重り３を上下させる場合の構成図の一例で、重り３の上部から上方に伸びた軸５と、筐体１の一部として構成され軸５を通す穴の空いた平面板６との互いの接触部分７に、互いに対になるネジ溝を切り込み、軸５に対して図のように固定したスパーギア８と、レバー９の回転動作と連動して回転しそのレバー９の端と回転軸で固定されるスパーギア１０とが互いに噛み合い、スパーギア１０の回転動力をスパーギア８を通して軸５に伝えるように構成している。この回転動力によって、重り３は回転してネジの動作原理により上下動が行なわれる。この上下動による重り３の最高位置の維持はレバー９の端をストッパー４で固定するなどして構成すればよい。なお、（ａ）ではスパーギアを２つ噛み合わせた構成を示しているが、重り３の回転動作によって重り３の上下動が十分行なえれば、例えばスパーギアを使用せずにレバー９を軸５に直接取り付けたり、複数のスパーギアを組み合わせたり、または従来知られているヘリカルギアやウォームなどを利用して組み合わせるなど、適宜構成してよい。
【００１７】
また、以上のような重り３を回転させて重り３を上下動させる機構を、モータによって構成することもできる。例えば（ａ）で示した例に基づいて考えると、（ｂ）で示すように、レバー９の代わりに従来からよく知られている例えばステッピングモータなどのモータ１１をスパーギア１０の回転軸に取り付けて構成することができる。この場合、モータ１１に図示されていない電源から電力が供給されると、モータ１１の回転動力がスパーギア１０に与えられ、これと接触するスパーギア８に与えられた回転動力によって重り３が回転し、重り３の上下動が可能となる。当然、ギアなどの構成については先に説明したように適宜構成してよい。さらに、このようなモータでは電源の非投入時における逆回転防止の効果があるため、その効果を利用してストッパーの役割を直接果たすようにしてもよい。
【００１８】
このように構成することによって、ＡＴＭなどの自動機は摩擦力の増加及び減少を容易に変更でき、この変更操作も関係者のみが開閉可能な前扉の中で行なわれるようにすれば、ＡＴＭ設置時には摩擦力を増大して移動が困難になる防犯性が向上し、移動時には摩擦力を減少して移動を容易にすることができる。さらに、重心が下がる為、耐震性も向上する。
【００１９】
（実施の形態２）
図３は、重り３の上下動をリールなどによる巻き取り方式で実現した当該駆動部分の一例を示したものである。この例は、手動で重り３を上下動させる構成を示しており、重り３の凸部１２に端が取り付けられたロープ、ワイヤ、鎖などのひも１３を上方に張り、筐体１に固定された滑車１４を介して例えば９０度折り曲げるなどしてリールなどの回転巻き取り機１５にひも１３を巻き付けている。この回転巻き取り機１５にはひも１３を巻き取るための取っ手１６が取り付けており、これを用いて回転巻き取り機１５の回転軸を中心にひも１３を巻き取る向きの回転動作を行なうと、ひも１３が回転巻き取り機１５に巻き取られ、重り３は上方に引き上げられる。また、逆の回転動作を行なうと、ひも１３は回転巻き取り機１５から引き出され、重り３は下降する。重りが引き上げられた状態を保つために、回転巻き取り機１５の回転位置を固定するストッパーを設ける。
【００２０】
このストッパーは例えば取っ手１６を固定するようなもので実施できる。
なお、この例では巻き取りを手動で行なうように構成しているが、図１の（ｂ）で説明したようなモータ１１を利用して回転巻き取り機１５の回転軸を直接的にまたは適宜ギアを組み合わせて間接的に回転させるようにしてもよい。
【００２１】
また、巻き取り方式は重り３に付けたひも１３を巻き取ることができる構成とされていればよく、本実施の形態で示した限りのものではない。
このように構成することによって、ＡＴＭなどの自動機は摩擦力の増加及び減少を容易に変更でき、この変更操作も関係者のみが開閉可能な前扉の中で行なわれるようにすれば、ＡＴＭ設置時には摩擦力を増大して移動が困難になる防犯性が向上し、移動時には摩擦力を減少して移動を容易にすることができる。さらに、重心が下がる為、耐震性も向上する。
【００２２】
（実施の形態３）
図４は、重り３の上下動をテコの原理により実現した当該駆動部分の一例を示したものである。この図は、重り３の凸部１２とレバー９の先端とを接合し、筐体１から伸びた支持部１７の先端とレバー９とが所定の位置において接触するように構成されている。重り３は、レバー９と支持部１７との接点１８を支点としたテコの原理により上下動するようになっている。すなわち、レバー９の端部１９を押し下げることにより重り３は持ち上げられ、レバー９をもとの位置に戻すことで重り３は床に接地する。このとき、重り３を持ち上げた状態を保つために、押し下げたレバー９を固定するストッパー４を設けておく。
【００２３】
なお、本実施の形態は、テコの原理を使用して重り３を上下動させる構成であればよく、上記説明した例に限られるものではない。
このように構成することによって、ＡＴＭなどの自動機は摩擦力の増加及び減少を容易に変更でき、この変更操作も関係者のみが開閉可能な前扉の中で行なわれるようにすれば、ＡＴＭ設置時には摩擦力を増大して移動が困難になる防犯性が向上し、移動時には摩擦力を減少して移動を容易にすることができる。さらに、重心が下がる為、耐震性も向上する。
【００２４】
（実施の形態４）
図５は、ＡＴＭの筐体１が２重構造となっている場合において、２重構造の外側の筐体２０を重り３の代わりとして上下動させる構成の該駆動部分の側面図の一例を示したものである。図は、外側の筐体２０がレバー９の操作により上下動するということを示したものであるが、その原理及び構成は前記実施の形態２、３に示すものなどで実現することができ、その原理の記載は図中では省略する。
【００２５】
なお、本実施の形態における駆動部分の操作は防犯装置が施された前扉２の中で実行されることが望ましく、このとき外側の筐体２０は前扉２の開閉に支障がない位置に配置する必要がある。
【００２６】
このように構成することによって、ＡＴＭなどの自動機は摩擦力の増加及び減少を容易に変更でき、この変更操作も関係者のみが開閉可能な前扉の中で行なわれるようにすれば、ＡＴＭ設置時には摩擦力を増大して移動が困難になる防犯性が向上し、移動時には摩擦力を減少して移動を容易にすることができる。さらに、重心が下がる為、耐震性も向上する。
【００２７】
（実施の形態５）
図６は、電磁石を使用して重り３を上下動させる構成を側面から見たものである。
【００２８】
図は、筐体１の下部を示すもので、従来から知られているようにコイルに電流を流すと磁力を発生させる電磁石で構成または電磁石からなる部材を取り付けて構成されている様子を示したものである。重り３は、電磁石２１の下方に配置され、筐体１に対して自由な上下動作を可能とさせる機構に基づいて筐体１と連結されている。この機構は、例えば、筐体１と重り３の間に互いの距離を所定の範囲内で変化させる図示されていないスライド部材を介させたり、筐体１の底に穴を開けてこの穴に重り３から伸びた棒２２を差し込み、差し込んだ棒２２の先を穴より大きくして抜けなくするなど、適宜決定してよい。さらに、重り３を磁力に作用する鉄などの材質とすることで、従来から知られている電磁石の原理に基づく効果が得られる。すなわち、図示されていない電磁石回路の電源投入用のスイッチを入れて電磁石に電流を流すと、電磁石に発生する磁力に基づいて重り３が電磁石２１に引き寄せられ、電源投入用のスイッチを切ると、磁力がなくなり、重り３は床に自由落下して接地する。
【００２９】
なお、重り３を電磁石で構成した場合、重り３が接地する床を磁力からの作用を受ける鉄などの部材で構成することによって、重り３の床への接地時に重り３の電磁石回路の電源が投入されれば、前記原理に基づいて重り３と床との間にも引力が生じるように構成できる。このような重りを上記実施の形態１から４と併用させることも可能であり、また筐体１の下部に配置した電磁石２２と互いに極性を選んで併用させることも可能である。後者の２つの電磁石を併用させる場合、互いの電磁石が引き合って重り３を引き上げるような極性または互いの電磁石が反発しあって重り３を下ろすような極性を選ぶようにすればよい。さらに、電磁石に鉄心を挿入することで、電源切断時であっても電源投入時の状態を保持することが可能となる。
【００３０】
このように構成することによって、ＡＴＭなどの自動機は移動に対する抵抗力を磁力で増大することができるようになり、この操作も関係者のみが開閉可能な前扉の中で行なわれるようにすることによって、防犯性が向上する。さらに、重心が下がる為、耐震性も向上する。
【００３１】
なお、これまで説明してきた実施の形態１から５における駆動部分の操作は、防犯装置が施された前扉２の中で実行されることが望ましい。この場合、実施の形態５の重り３の電磁石回路の電源投入用スイッチは、筐体１の底に穴をあけるなどして前扉２の中に配置することができる。
【００３２】
また、摩擦係数の高いゴムなどからできた部材を例えば筐体１の側面に取り付け、壁と筐体１の側面との接触による摩擦力の利用を併用させてもよい。
また、ＡＴＭの電源投入は、重り３が床に接地するＡＴＭの設置状態の時にのみ行なわれるようにしてもよい。例えば、ＡＴＭの電源投入回路内に電源投入用と重り位置により決まる２つのスイッチを設け、重り３の位置や重りと連動する部分の位置をセンサで感知するなどして、その重り３が床に接地した場合にのみ重り位置により決まるスイッチを閉じさせるようにする。このスイッチが閉じていないといくら電源投入用のスイッチを入れても回路に電力は供給されない。言い換えると重りが床に接地したＡＴＭの設置状態の時にしか回路に電力は投入されなくなる。
【００３３】
また、重り３の状態を監視するセンサを使用して、このセンサにより重り３の状態の異常を感知したら、警報ブザーや管理センタへの異常状態の通知などが行なえるようにしてもよい。例えば、上記重り３の位置により決まるスイッチの開閉に連動し、このスイッチが切れると同時に警告用または通知用回路のスイッチが入るように構成する。
【００３４】
また、警報ブザーや管理センタへの異常状態の通知以外に煙を発生させたり液体噴射を行なったり筐体表面を高温にするなど各種防衛策との組み合わせも考えられる。
【００３５】
また、上記実施の形態１から５はＡＴＭについて説明したが、現金自動支払機（ＣＤ）やプリペイドカードなどの現金相当品の自動販売機などにも適用することができる。
【００３６】
【発明の効果】
以上述べたように、本発明によれば、自動機の設置時には、自動機を水平方向に動かす際の抵抗力が増し、また自動機の重量も増大するため、自動機の移動を困難にし、自動機を盗難できないまたは盗難時間を長引かせることが可能となる。さらに、自動機の重心が下がるため耐震性も向上する。また、所定の人が自動機を移動する際には、余計な抵抗力が加わらないため、容易に自動機を移動できる。
【図面の簡単な説明】
【図１】発明の実施の形態における概念図である。
【図２】発明の実施の形態１におけるネジ方式を使用した場合の一例である。
【図３】発明の実施の形態２における巻き取り方式を使用した場合の一例である。
【図４】発明の実施の形態３におけるテコの原理を使用した場合の一例である。
【図５】発明の実施の形態４における筐体の２重構造を使用した場合の一例である。
【図６】発明の実施の形態５における電磁石を使用した場合の一例である。
【図７】ＡＴＭの概観図である。
【符号の説明】
１  ＡＴＭ（ＡＴＭの筐体）
２  前扉
３  重り
４  ストッパー
５  軸
６  平面版
７  軸５と平面版６との接触部分
８  軸５に固定されたスパーギア
９  レバー
１０  レバー９に固定されたスパーギア
１１  モータ
１２  凸部
１３  ひも
１４  滑車
１５  回転巻き取り機
１６  取っ手
１７  支持部
１８  接点
１９  レバー９の端部
２０  外側の筐体
２１  筐体の底の電磁石
２２  棒
【図１】
0003686607.tif 000002
【図２】
0003686607.tif 000003
【図３】
0003686607.tif 000004
【図４】
0003686607.tif 000005
【図５】
0003686607.tif 000006
【図６】
0003686607.tif 000007
【図７】
0003686607.tif 000008